(57)【要約】【課題】枢支軸を有し、枢支軸周りに施療部が近接離反するマッサージ機において、施療者に十分な施療を行えるマッサージ機を提供する。【解決手段】座部１０と、背もたれ部１１と、肘掛部１２と、肘掛部１２のカバー片１３と、を備え、肘掛部１２の上面またはカバー片１３の下面の少なくとも一方に施療部１５を設けたマッサージ機１であって、前記カバー片１３は少なくとも２つの枢支軸１６によって肘掛部１２に枢着されており、枢支軸１６回りに回動することにより開閉可能であり、枢支軸１６が切り換えられることによりカバー１３片の回動方向が変わるようにした。【選択図】図１
2011024862.tif 000002
【特許請求の範囲】
【請求項１】
座部と、背もたれ部と、肘掛部と、肘掛部のカバー片と、を備え、肘掛部の上面またはカバー片の下面の少なくとも一方に施療部を設けたマッサージ機であって、
前記カバー片は少なくとも２つの枢支軸によって肘掛部に枢着されており、枢支軸回りに回動することにより開閉可能であり、枢支軸が切り換えられることによりカバー片の開閉方向が変わることを特徴とするマッサージ機。
【請求項２】
前記肘掛部およびカバー片は対向して、その長手方向を前後にして座部の両側に位置するように設けられており、前記枢支軸は、カバー片の長手方向がカバー片の前方端部を中心に肘掛部に対して回動するようにカバー片又は肘掛部の短手方向に沿って設けられた長手方向開閉用枢支軸と、カバー片の短手方向がカバー片の側方端部を中心に肘掛部に対して回動するようにカバー片又は肘掛部の長手方向に沿って設けられた短手方向開閉用枢支軸とからなることを特徴とする請求項１に記載のマッサージ機。
【請求項３】
前記カバー片が長手方向または短手方向のいずれの方向に開閉したかを検知する開閉方向検知手段を備え、開閉方向によって施療部による施療方法を異ならせることを特徴とする請求項２に記載のマッサージ機。
【請求項４】
前記施療部は、肘掛部の上面またはカバー片の下面の少なくとも一方において長手方向に沿って複数個設けられ、前記開閉方向検知手段により短手方向の開閉を検知した場合に、後方に位置する施療部より前方に位置する施療部の突出量が大きくなるように施療部を制御して施療を行うことを特徴とする請求項３に記載のマッサージ機。
【請求項５】
前記開閉方向検知手段により長手方向または短手方向の一方の開閉を検知した場合に、他方の開閉を禁止するロック手段を設けたことを特徴とする請求項３または４に記載のマッサージ機。
【発明の詳細な説明】
【技術分野】
【０００１】
本願発明は、施療者を施療するマッサージ機に関するものである。
【背景技術】
【０００２】
従来から、特開２００７−２８９４４５号公報（特許文献１）に示されるように、施療者が座るための座部と、リクライニング機構を有する背もたれ部と、施療者の足を載置するオットマンと、施療者の腕を施療する施療部を備えた肘掛部および肘掛部のカバー片と、を有するマッサージ機は知られている。
【０００３】
肘掛部とカバー片とはその前方部に設けられた枢支軸によって回動可能に連結されており、施療者はカバー片を肘掛部から離反させて、腕を肘掛部に載置した後、カバー片を肘掛部に近接させて、腕を肘掛部とカバー片に挟まれた状態にして腕の施療を行っていた。
【先行技術文献】
【特許文献】
【０００４】
【特許文献１】特開２００７−２８９４４５号公報
【発明の概要】
【発明が解決しようとする課題】
【０００５】
しかしながら、上記従来例であるマッサージ機にあっては、肘掛部とカバー片との間の距離は、枢支軸が設けられた前方では短くなるが、後方側では肘掛部とカバー片との間の距離が長くなり、後方側において施療者の腕は肘掛部またはカバー片に設けられた施療部に当接せずにマッサージが行えない、また、当接したとしても十分な施療を行えないといった問題点を有していた。
【０００６】
本願発明は、上記従来例に鑑みて発明されたものであり、その課題は、枢支軸を有し、枢支軸周りに施療部が近接離反するマッサージ機において、施療者に十分な施療を行えるマッサージ機を提供することである。
【課題を解決するための手段】
【０００７】
上記課題を解決するために、本願請求項１記載の発明では、座部と、背もたれ部と、肘掛部と、肘掛部のカバー片と、を備え、肘掛部の上面またはカバー片の下面の少なくとも一方に施療部を設けたマッサージ機であって、前記カバー片は少なくとも２つの枢支軸によって肘掛部に枢着されており、枢支軸回りに回動することにより開閉可能であり、枢支軸が切り換えられることによりカバー片の回動方向が変わることを特徴としている。
【０００８】
又、本願請求項２記載の発明では、上記請求項１記載のマッサージ機において、前記肘掛部およびカバー片は対向して、その長手方向を前後にして座部の両側に位置するように設けられており、前記枢支軸は、カバー片の長手方向がカバー片の前方端部を中心に肘掛部に対して回動するようにカバー片又は肘掛部の短手方向に沿って設けられた長手方向開閉用枢支軸と、カバー片の短手方向がカバー片の側方端部を中心に肘掛部に対して回動するようにカバー片又は肘掛部の長手方向に沿って設けられた短手方向開閉用枢支軸とからなることを特徴としている。
【０００９】
又、本願請求項３記載の発明では、上記請求項２に記載のマッサージ機において、前記カバー片が長手方向または短手方向のいずれの方向に開閉したかを検知する開閉方向検知手段を備え、開閉方向によって施療部による施療方法を異ならせることを特徴としている。
【００１０】
又、本願請求項４記載の発明では、上記請求項３に記載のマッサージ機において、前記施療部は、肘掛部の上面またはカバー片の下面の少なくとも一方において長手方向に沿って複数個設けられ、前記開閉方向検知手段により短手方向の開閉を検知した場合に、後方に位置する施療部より前方に位置する施療部の突出量が大きくなるように施療部を制御して施療を行うことを特徴としている。
【００１１】
又、本願請求項５記載の発明では、上記請求項３または４に記載のマッサージ機において、前記開閉方向検知手段により長手方向または短手方向の一方の開閉を検知した場合に、他方の開閉を禁止するロック手段を設けたことを特徴としている。
【発明の効果】
【００１２】
本願請求項１記載のマッサージ機においては、座部と、背もたれ部と、肘掛部と、肘掛部のカバー片と、を備え、肘掛部の上面またはカバー片の下面の少なくとも一方に施療部を設けたマッサージ機であって、前記カバー片は少なくとも２つの枢支軸によって肘掛部に枢着されており、枢支軸回りに回動することにより開閉可能であり、枢支軸が切り換えられることによりカバー片の回動方向が変わるので、異なる方向においてカバー片を開閉可能であり、異なる方向から腕を挟むことにより施療者に十分な施療を行うことができると共に、異なった感覚の施療を味わうことができる。
【００１３】
又、本願請求項２記載の発明のマッサージ機においては、特に、前記肘掛部およびカバー片は、長手方向が座部の両側に位置するように対向して設けられており、前記枢支軸は、カバー片の長手方向がカバー片の前方端部を中心に肘掛部に対して回動するようにカバー片又は肘掛部の短手方向に沿って設けられた長手方向開閉用枢支軸と、カバー片の短手方向がカバー片の側方端部を中心に肘掛部に対して回動するようにカバー片又は肘掛部の長手方向に沿って設けられた短手方向開閉用枢支軸とからなるので、長手方向に開閉した場合には、上下方向から圧迫する施療を味わうことができ、短手方向に開閉した場合には挟み込むような施療を味わうことができる。更に、短手方向に開閉した場合には長手方向に開閉した場合のように、前方部から後方部になるに連れて、肘掛部とカバー片との間の距離が大きくなることがないので、施療部が腕に当接する位置が異なることによって、施療感が異なることを防ぐことができる。
【００１４】
又、本願請求項３記載の発明のマッサージ機においては、特に、前記カバー片が長手方向または短手方向のいずれの方向に開閉したかを検知する開閉方向検知手段を備え、開閉方向によって施療部による施療方法を異ならせるので、例えば、開閉方向に応じて適切な施療方法を施すことができる。
【００１５】
又、本願請求項４記載の発明のマッサージ機においては、特に、前記施療部は、肘掛部の上面またはカバー片の下面の少なくとも一方において長手方向に沿うように複数個設けられ、前記開閉方向検知手段により短手方向の開閉を検知した場合に、後方に位置する施療部より前方に位置する施療部の突出幅が大きくなるように施療部を制御して施療を行うので、腕が細い先端側においても施療部の突出幅が大きいために施療部を腕に確実に当接させることができ適切な施療を行うことができる。
【００１６】
又、本願請求項５記載の発明のマッサージ機においては、特に、前記開閉方向検知手段により長手方向または短手方向の一方の開閉を検知した場合に、他方の開閉を禁止するロック手段を設けたので、危険な使用形態を防止することができるとともにマッサージ機の破損を防止することができる。
【図面の簡単な説明】
【００１７】
【図１】本願発明の実施形態におけるマッサージ機の斜視図である。
【図２】同上のマッサージ機に施療者が座って施療を行う場合を説明する側面図である。
【図３】同上のマッサージ機における肘掛部およびカバー片を示し、（ａ）は上面図、（ｂ）は側面図、（ｃ）は前面図である。
【図４】同上のマッサージ機におけるエアバッグの膨張・収縮システムを示す説明図である。
【図５】同上のマッサージ機における第１の使用形態を説明する説明図である。
【図６】同上のマッサージ機における第２の使用形態を説明する説明図である。
【発明を実施するための形態】
【００１８】
以下、本願発明の実施形態を図面に基づいて説明する。図１、２は本実施形態のマッサージ機１を示しており、このマッサージ機１は  施療者２が座るための座部１０と、リクライニング機構を有する背もたれ部１１と、施療者２の腕部３の荷重を支持するための肘掛部１２と、肘掛部１２のカバー片１３と、足載置部１４と、を備えている。
【００１９】
また、図３に示されるように、肘掛部１２の上面またはカバー片１３の下面の少なくとも一方には、施療部としてのエアバッグ１５が設けられており、カバー片１３は少なくとも２つの枢支軸１６によって肘掛部１２に枢着されており、枢支軸１６回りに回動することにより開閉可能であり、枢支軸１６が切り換えられることによりカバー片１３の回動方向が変わるようになっている。
【００２０】
また、肘掛部１２およびカバー片１３は上下に対向して、その長手方向を前後にして座部１０の両側に位置するように設けられており、枢支軸１６は、カバー片１３の長手方向がカバー片１３の前方端部を中心に肘掛部１２に対して回動するようにカバー片１３又は肘掛部１２の短手方向に沿って設けられた長手方向開閉用枢支軸１６ａと、カバー片１３の短手方向がカバー片１３の側方端部を中心に肘掛部１２に対して回動するようにカバー片１３又は肘掛部１２の長手方向に沿って設けられた短手方向開閉用枢支軸１６ｂとからなる。
【００２１】
カバー片１３は、前後方向において、前方側に位置する第１のカバー片１３ａと第１のカバー片１３ａの後方側に位置する第２のカバー片１３ｂとが連結されてなり、前後方向において第１のカバー片１３ａよりも第２のカバー片１３ｂが長尺な構成となっている。ここにおいて、肘掛部１２の前方端部には、上方側に突出し左右方向に所定幅を有する連結部１７が設けられており、第１のカバー片１３ａの前方端部には、連結部１７が嵌まり込む凹み部１８が設けられており、連結部１７および凹み部１８を左右方向に貫通する貫通孔に、長手方向開閉用枢支軸１６ａを嵌めこむことによって、カバー片１３が肘掛部１２に枢着されて、長手方向開閉用枢支軸１６ａを中心にしてカバー片１３の長手方向が肘掛部１２に対して回動し、カバー片１３が開閉可能な構成となっている。
【００２２】
また、第１のカバー片１３ａおよび第２のカバー片１３ｂの座部１０側と反対側の側方端部には、前後方向に沿って軸孔が、それぞれ対向して設けられており、この軸孔に短手方向開閉用枢支軸１６ｂを嵌めこむことによって、短手方向開閉用枢支軸１６ｂを中心にして第２のカバー片１３ｂの短手方向が肘掛部１２に対して回動し、カバー片１３が開閉可能な構成となっている。さらに、第１のカバー片１３ａおよび第２のカバー片１３ｂの側方端部において、短手方向開閉用枢支軸１６ｂが設けられた側と反対側の端部には、第１のカバー片１３ａと第２のカバー片１３ｂとをロックするスライド式のロック手段１９が設けられており、カバー片１３の長手方向が開閉する場合には、ロックされた状態であり、第１のカバー片１３ａおよび第２のカバー片１３ｂが一体となって開閉し、カバー１３の短手方向が開閉する場合にはロックが解除されて、第２のカバー片１３ｂが肘掛部１２に対して開閉するようになっている。
【００２３】
肘掛部１２には前方側に第１の磁石２０が、後方側に第２の磁石２１が埋設されており、第２のカバー片１３ｂには、肘掛部１２に対してカバー片１３が略並行となる閉じた状態において、第１の磁石２０に対向する位置に第１のホール素子２２がカバー片１３の短手方向開閉検知手段として、第２の磁石２１に対向する位置に第２のホール素子２３がカバー片１３の長手方向開閉検知手段として設けられている。
【００２４】
ここで、長手方向開閉用枢支軸１６ａを中心にしてカバー片１３の長手方向を肘掛部１２に対して回動させて、カバー片１３を開けると、第２のホール素子２３と第２の磁石２１との距離が離れて、第２のホール素子２３によって磁石２１の磁界を検知できなくなることにより、カバー片１３が長手方向に開かれたことが検知される。また、反対に、カバー片１３を長手方向に閉じると、第２のホール素子２３と第２の磁石２１との距離が近づき、第２のホール素子２３によって第２の磁石２１の磁界を検知できるようになることにより、カバー片１３が長手方向に閉じられたことが検知される。なお、カバー片１３の長手方向における開閉の際は、第１のホール素子２２は第１の磁石２０の付近に位置しているため、第１のホール素子２２による磁界の検知について変化は生じない。
【００２５】
また、短手方向開閉用枢支軸１６ｂを中心にしてカバー片１３の短手方向を肘掛部１２に対して回動させて、カバー片１３を開けると、第１のホール素子２２と第１の磁石２０との距離が離れて、第１のホール素子２２によって第１の磁石２０の磁界を検知できなくなることにより、カバー片１３が短手方向に開かれたことが検知される。また、反対に、カバー片１３を短手方向に閉じると、第１のホール素子２２と第１の磁石２０との距離が近づき、第１のホール素子２２によって第１の磁石２０の磁界を検知できるようになることにより、カバー片１３が短手方向に閉じられたことが検知される。
【００２６】
なお、上述のように本実施形態では、ホール素子と磁石によって、いずれの方向にカバー片１３が開閉したかを検知する開閉方向検知手段を構成したが、例えば、突起と、突起によって押されることにより接点が接触する機械式のスイッチによって開閉方向検知手段を構成してもよく、開閉方向検知手段は本実施形態に記載のものに限定されるわけではない。
【００２７】
肘掛部１２の上面およびカバー片１３の下面には、施療者２の腕部３を施療する施療部としてのエアバッグ１５が複数個設けられており、エアバッグ１５は、カバー片１３の下面に前方側から順に設けられたエアバッグ１５ａ、エアバッグ１５ｂ、エアバッグ１５ｃと、肘掛部１２の上面に設けられたエアバッグ１５ｄからなる。これら複数のエアバッグ１５はそれぞれ、図４に示されるように、電磁弁２４ａ、２４ｂ、２４ｃ、２４ｄを介してポンプ２５に接続されており、各電磁弁２４のＯＮ／ＯＦＦを制御することによって、各エアバッグ１５の膨張・収縮が自在に行えるようになっており、エアバッグ１５の突出量も自在に制御可能となっている。また、マッサージ機１には図示しない、制御部と、マッサージプログラムを予め記憶したメモリと、メモリ内に記憶されたマッサージプログラムを選択可能な操作部と、が備えられており、施療者２は、操作部において、所定のマッサージプログラムを選択すれば、制御部がメモリに記憶されたマッサージプログラムを読み出すと共に、各電磁弁２４を制御して所定のマッサージプログラムを実行可能な構成となっている。なお、エアバッグ１５の数およびその配置位置は図４の例に限らず、適宜変更自在である。また、エアバッグ１５は施療者２の腕部３や手のひら、指先などの形状に変形可能であると共に適度な外圧を負荷できる、例えば弾性樹脂などの材質で構成されている。
【００２８】
次に、本実施形態における第１の使用形態について図５に基づいて、第２の使用形態について図６に基づいて説明する。
【００２９】
（第１の使用形態）
施療者２は、カバー片１３の長手方向を肘掛部１２に対して回動させてカバー片１３を開いた後、腕部３をカバー片１３と肘掛部１２の間に挿入して腕マッサージの準備を行う。施療者２が操作部を操作することにより、所定時間経過後、腕マッサージが開始される。このとき、肘掛部１２の上面とカバー片１３の下面に配置された複数のエアバッグ１５がメモリに記憶されたプログラムに従って膨張・収縮を繰り返し、施療者２の腕部３に腕マッサージを所定時間行うが、カバー片１３が長手方向に開かれたことが第２のホール素子２３によって検知されており、メモリから長手方向開放用のマッサージプログラムが呼び出されて腕マッサージが行われる。すなわち、カバー片１３の上面に設けられたエアバッグ１５ａ、１５ｂ、１５ｃの突出量を前方から順に大きくさせて、腕部３の前後方向の位置によって押圧感のばらつきを無くすようなマッサージを行う。これは、肘掛部１２とカバー片１３との間の距離が前方部では短くなり、後方部では長くなるが、後方部においても十分に押圧感を伴うマッサージを行うためであり、特に腕の細い施療者２であっても十分にマッサージを行うことができる。
【００３０】
（第２の使用形態）
施療者２はロック手段１９のロックを手動でスライド解除した後、カバー片１３の短手方向を肘掛部１２に対して回動させてカバー片１３を開いた後、腕部３をカバー片１３と肘掛部１２の間に挿入して腕マッサージの準備を行う。施療者２が操作部を操作することにより、所定時間経過後、腕マッサージが開始される。このとき、肘掛部１２の上面とカバー片１３の下面に配置された複数のエアバッグ１５がメモリに記憶されたプログラムに従って膨張・収縮を繰り返し、施療者２の腕部３に腕マッサージを所定時間行うが、カバー片１３が短手方向に開かれたことが第１のホール素子２２によって検知されており、メモリから短手方向開放用のマッサージプログラムが呼び出されて腕マッサージが行われる。すなわち、カバー片１３の上面に設けられたエアバッグ１５ａ、１５ｂ、１５ｃの突出量を後方から順に大きくさせて、腕部３の前後方向の位置によって押圧感のばらつきを無くすようなマッサージを行う。これは、腕の細い先端部においてエアバッグ１５の突出量が大きいため施療者２の腕部３に十分な押圧感を伴うマッサージを行うためである。また、本使用形態では、第１の使用形態と押圧の方向が異なるため第１の使用形態と異なるマッサージ間を施療者２に与えることができ、また腕の周囲の筋肉を満遍なくマッサージすることが可能である。また、第１の使用形態と第２の使用形態を施療者２が好みに応じて選択し組み合わせることにより効果の高いマッサージ得ることができる。
【００３１】
また、本実施形態のマッサージ機１は、ロック手段１９を備えているので、長手方向および短手方向の両方向において同時にカバー片１３が開閉することを防ぐことができ、危険な使用形態を防止することができると共に、マッサージ機１の破損を防止することができる。
【００３２】
なお、ロック手段１９は上述したものに限られず、使用者の操作部への操作により電気的にロックおよびロック解除を行うものであってもよい。
【符号の説明】
【００３３】
１  マッサージ機
２  施療者
３  腕部
１０  座部
１１  背もたれ部
１２  肘掛部
１３  カバー片
１４  足載置部
１５  エアバッグ（施療部）
１６  枢支軸
１６ａ  長手方向開閉用枢支軸
１６ｂ  短手方向開閉用枢支軸
１７  連結部
１８  凹み部
１９  ロック手段
２０  第１の磁石（開閉方向検知手段）
２１  第２の磁石（開閉方向検知手段）
２２  第１のホール素子（開閉方向検知手段）
２３  第２のホール素子（開閉方向検知手段）
２４  電磁弁
２５  ポンプ
【図１】
2011024862.tif 000003
【図２】
2011024862.tif 000004
【図３】
2011024862.tif 000005
【図４】
2011024862.tif 000006
【図５】
2011024862.tif 000007
【図６】
2011024862.tif 000008